(57)【特許請求の範囲】
【請求項１】
ステープル打ち出し用ドライバプレートを有するドライバユニットに対してステープルを収納したマガジンをステープルの打ち出し方向に移動可能に設けたマガジン部と、上記ドライバプレートによって打ち出されたステープルを受けて折り曲げるクリンチャ部とを分離して対向配置し、クリンチャ部のクリンチャでマガジンを押圧して移動させることにより、相対的に移動したドライバプレートがマガジン内のステープルをクリンチャに向けて打ち出すようにしたステープラにおいて、
上記マガジン部の側部に、マガジンの上端面とほぼ面一となる位置に、被綴り用紙の面を受ける用紙基準を配置し、この用紙基準をマガジンと一体的に移動するように設けた
ことを特徴とするステープラにおける用紙基準の移動機構。
【発明の詳細な説明】
【０００１】
【発明の属する技術分野】
本発明は、マガジン部とクリンチャ部とが分離して対向配置されたステープラにおける用紙基準の移動機構に関する。
【０００２】
【従来技術とその問題点】
一般に、雑誌などを中綴じをするときはマガジン部とクリンチャ部とが分離して対向配置されたステープラが使用される。印刷された用紙がマガジン部とクリンチャ部との間を通りぬける際にステープラが作動し、ステープルで綴じるのである。
【０００３】
このようなステープラは、図６（ａ）に示されるように、ベース板３からマガジン部１を上下方向に移動可能に設け（但し打ち込み用ドライバプレートは固定）、マガジン部１の側部には、綴り用の用紙１５のレベルをマガジン部の高さと合わせるための用紙基準５を配置し、マガジン部１の上方には、クリンチャ部２を対向して配置する構造になっている。綴り作動させるときは、用紙１５を用紙基準５とマガジン部１の上に載置しておき、クリンチャ部２を下方に駆動する。これにより、同図（ｂ）に示されるように、用紙１５とともにマガジン部１が押し下げられるのに対し、ドライバプレート８は相対的に上方に移動してマガジン部１内のステープル６を上方に打ち出して用紙１５を貫通させる。ステープルの脚部はクリンチャ部２に当たって折り曲げられ、綴りが完了するのである。
【０００４】
【発明が解決しようとする課題】
しかしながら、上述のようにクリンチャ部２が下方に移動すると、用紙１５も下方に押し込まれるが、用紙基準５は変わらないので、用紙１５は撓んで変形する。このため、浮き綴じや座屈等に基づく綴り不良などの機能障害が生じる原因となっていた。
【０００５】
本発明は上記問題点を解消し、用紙基準を移動可能とすることにより、綴り不良などの不都合が発生するのを有効に防止することができる、ステープラにおける用紙基準の移動機構をその課題とする。
【０００６】
【課題を解決するための手段】
前記課題を解決するため、本発明に係るステープラにおける用紙基準の移動機構は、ステープル打ち出し用ドライバプレートを有するドライバユニットに対してステープルを収納したマガジンをステープルの打ち出し方向に移動可能に設けたマガジン部と、上記ドライバプレートによって打ち出されたステープルを受けて折り曲げるクリンチャ部とを分離して対向配置し、クリンチャ部のクリンチャでマガジンを押圧して移動させることにより、相対的に移動したドライバプレートがマガジン内のステープルをクリンチャに向けて打ち出すようにしたステープラにおいて、上記マガジン部の側部に、マガジンの上端面とほぼ面一となる位置に、被綴り用紙の面を受ける用紙基準を配置し、この用紙基準をマガジンと一体的に移動するように設けたことを特徴とする。
【０００７】
【発明の実施の形態】
図１は分離式ステープラのマガジン部とクリンチャ部の斜視図、図２はマガジン部の要部の斜視図、図３は上記ステープラの要部の正面図を示す。同図において符号１はマガジン部、２はクリンチャ部を示す。３はベース板で、ベース板３に形成された開口部４の内側には、マガジン部１と用紙基準５とが配置されている。
【０００８】
マガジン部１は、多数のステープル６を収納したマガジン７とステープル打ち出し用ドライバプレート８を有するドライバユニット９とから構成されている。マガジン７はインフレーム１０の内部にマガジン本体１１を装着したもので、先端のステープルを上方に打ち出し可能な射出口が形成されている。また、インフレーム１０はベース板３に対してステープル打ち出し方向（上下方向）に移動可能に取り付けられ、その上面には綴り台１２が形成されている。これに対し、ドライバユニット９はベース板３に固定されている。したがって、ドライバユニット９に設けられたドライバプレート８のベース板３に対する高さ位置は変わらない。
【０００９】
これに対し、クリンチャ部２は、クリンチャホルダ１３を上下方向に移動可能に設けたもので、クリンチャホルダ１３の下端にクリンチャ溝が形成されている。また、クリンチャ部２は適宜の部材に固定され、マガジン部１とは上下に分離した状態で対向配置されている。なお、クリンチャ部２には上記クリンチャホルダ１３を上下に移動させる駆動装置１４が設けられている。
【００１０】
次に、用紙基準５は被綴り用紙１５の面を受けるもので箱型に形成され、通常時はマガジン部１の綴り台１２とほぼ面一となる位置にあり、ベース板３の開口部４に対して上下動可能に配置されている。また、用紙基準５は上記マガジン部１のインフレーム１０と連動するように、インフレーム１０と一体に取り付けられている。なお、用紙基準５とベース板３との間には圧縮バネ１６が配置され、用紙基準５は上方の移動端に位置するように付勢されている。
【００１１】
上記構成のステープラによって用紙を綴るときは、図３及び図４に示されるように、まず被綴り用紙１５をマガジン部１とクリンチャ部２との間に挿入する。そして、クリンチャ部２の駆動装置を作動させると、クリンチャホルダ１３は下方に駆動され、被綴り用紙１５とともにマガジン部１を下方に押圧する。マガジン部１も下方に移動するが、このときドライバユニットのドライバプレート８は固定されたままであるから、ドライバプレート８は相対的にマガジン部１に対して上方に移動することになる。これにより、ドライバプレート８はマガジン７内の先頭のステープル６を上方に打ち出す。打ち出されたステープル６の脚部は被綴り用紙１５を貫通してクリンチャホルダ１３の下端のクリンチャ溝に当たり、ここで折り曲げられて被綴り用紙１５の綴りが完了する。この状態を図４と図５に示す。綴り終了後、クリンチャホルダ１３が上方に移動すると、マガジン部１とクリンチャ部２との間の間隔が広がるので、被綴り用紙１５をベース板３に沿って移動させることができる。被綴り用紙１５がなくなると、圧縮バネ１６によってマガジン部１と用紙基準５とが初期位置に上昇する。
【００１２】
ところで、上述のようにクリンチャホルダ１３が被綴り用紙１５を下方に押しつけるとき、マガジン部１も下方に移動するので、そのインフレーム１０と一体に設けられた用紙基準５も同じ量だけ下方に移動する。このように、マガジン部１と用紙基準５が同量だけ同方向に移動するので、綴り作動時に被綴り用紙１５が変形することがない。
【００１３】
上述のように、用紙基準５をマガジン部１とともに移動可能とすることができるから、綴り不良などの機能障害が発生するのを有効に防止することができる。
【００１４】
なお、用紙基準５はマガジン部１の下方移動に対応して一体的に沈み込めばよいのであって、必ずしもマガジン部１と一体に動く必要はない。例えば、用紙基準５をベース板３に上下動可能に設けておき、バネで上方に位置するように付勢しておくだけでもよい。この場合も、綴り作動時に被綴り用紙１５が下方に押圧されることに対応して、用紙基準５もバネに抗して下方に移動するので、被綴り用紙１５が変形することがない。なお、一体的とは、マガジン部と用紙基準が一体又はほぼ同じタイミングでほぼ同じ移動量だけ移動することをいう。
【００１５】
【発明の効果】
請求項１に係る発明によれば、マガジンの上端面とほぼ面一となる位置に、被綴り用紙の面を受ける用紙基準を配置し、この用紙基準をマガジンと一体的に移動するように設けたから、綴り作動時に被綴り用紙が変形することがない。したがって、綴り不良などの機能障害が発生するのを有効に防止することができる。
【図面の簡単な説明】
【図１】本発明に係るステープラのマガジン部とクリンチャ部の斜視図
【図２】上記マガジン部の要部の通常時の斜視図
【図３】上記ステープラの要部の正面図
【図４】上記ステープラの要部の綴り作動時の斜視図
【図５】上記ステープラの要部の綴り作動態様説明図
【図６】（ａ）（ｂ）は従来のステープラの作動態様を簡略に示す説明図
【符号の説明】
１  マガジン部
２  クリンチャ部
５  用紙基準
８  ドライバプレート
１５  被綴り用紙
【図１】
0004089214.tif 000002
【図２】
0004089214.tif 000003
【図３】
0004089214.tif 000004
【図４】
0004089214.tif 000005
【図５】
0004089214.tif 000006
【図６】
0004089214.tif 000007